(57)【要約】【課題】本発明は、本発明者の磁界の馬方位理論（horse orientation theory）とともに、本発明者のエマグネトダイナミクスの第１、第２法則を利用した自己支持エマグネトダイナミクスマシンと呼ばれる磁気モーターである。【解決手段】自己支持エマグネトダイナミクスマシンは、偉大な発明者で科学者であるマイケルファラデーのころから５００年以上にわたって作られてきた電気モーターの古い理論とは異なる理論を利用している。【選択図】図７
2018011509.tif 000002
【特許請求の範囲】
【請求項１】
作動するために自身の帰還電流を使用し、電気モーターのように動作するが磁界中の電流を運ぶ導体に作用する力は使用せず、固定子と回転子の間の磁極の相互作用によって動作して磁石及び電磁石により動力を供給される自己支持マシンであって、主要部が、
円形パターンに配置された前記マシンの固定子を形成する１組の永久磁石と、
回転子を形成するスピンドルに取り付けられた複合磁石と、
前記回転子の複合極の反発／牽引から生じるバックラッシュから前記回転子の（それぞれの面上の）翼板をリリースするためにブラシに圧力を加える分配器とを有することを特徴とする自己支持マシン。
【請求項２】
前記固定子を形成する前記永久磁石が、前記磁石の半分がＮ極で、他の半分がＳ極であるように作製されている、請求項１に記載の自己支持マシン。
【請求項３】
前記電磁石が、前記マシンのリリース固定子極を形成し、前記固定子永久磁石のそれぞれの極強さと概略等しい極強さを出すように作られており、磁化されなければ第１の前記固定子永久磁石による反発／牽引により引き戻されることになる適切なタイミングで一時的に磁化されるように時間間隔が決められている、請求項１に記載の自己支持マシン。
【請求項４】
前記複合極を保持する前記翼板及びスピンドルが、すべて、前記固定子磁石により生成される磁界を歪ませないように、真鍮、銅などの非磁性材料で作られている、請求項１に記載の自己支持マシン。
【請求項５】
吊り下げられた複合磁極は、磁石の同一極の配列の近くに配置されたときには、ある方向に動く、と述べる発明者のエマグネトダイナミクスの第１法則が利用されている、請求項１に記載の自己支持マシン。
【請求項６】
前記複合磁極の回転方向は、前記配列と同じ前記複合極の方向である、と述べる発明者のエマグネトダイナミクスの第２法則が利用されている、請求項１に記載の自己支持マシン。
【請求項７】
軟鉄は非常に早く磁性を失い、及び、得るために、前記軟鉄は前記固定子永久磁石の鏡像（代替物）として作用するとの理由から、前記複合極が、同一の三日月形状に屈曲された軟鉄のディスクにより置換された、請求項１に記載の自己支持マシン。
【請求項８】
前記ブラシ及び前記整流器が、銅又は他の非磁性であるが錆びない金属で作られている、請求項１に記載の自己支持マシン。
【請求項９】
前記回転子が、前記複合極が取り付けられる前記翼板が水平面上に載置され、真鍮、銅又は他の任意の剛性の非磁性物質のいずれかで作られた前記回転子に強固に取り付けられるように構成されている、請求項１に記載の自己支持マシン。
【請求項１０】
前記回転子に取り付けられた前記翼板が、内燃エンジンのクランクシャフトのように、前記マシンにより出力される機械的動力を増大させるために、異なる面に載置されているが、すべてが同一の前記回転子に取り付けられた２以上の翼板が存在するように構成することが可能である、請求項１に記載の自己支持マシン。
【請求項１１】
前記固定子磁石が、前記マシンにより出力される機械的動力を増大させるために、前記マシンの異なる面上に載置されるように構成することが可能である、請求項１に記載の自己支持マシン。
【請求項１２】
自動車のイグニッションキーと類似して、前記マシンのスタート時に、前記第１の又は最後の電磁石に、及び、前記回転子に取り付けられた小さな直流モーターにも電気的出力がスイッチを介して伝達される、請求項１に記載の自己支持マシン。
【請求項１３】
前記回転子に機械的に連結された前記直流モーターが、「キックスタート」のプロセスで、前記エマグネトダイナミクスモーターのスタート時に前記回転子を回転させるために使用される、請求項１２に記載の自己支持マシン。
【請求項１４】
前記マシンの異なる面に載置された前記固定子磁石が、作動時にそれらの磁界を相互に歪ませないように、相互から磁気的に遮蔽されている、請求項１１に記載の自己支持マシン。
【請求項１５】
前記固定子及び前記回転子の配置は逆転することができ、動作を生じるようにエマグネトダイナミクスの法則はなおも適用される、請求項１に記載の自己支持マシン。
【請求項１６】
永久磁石である前記固定子が、システムの動作を悪化させることなく電磁石に置換された、請求項１に記載の自己支持マシン。
【発明の詳細な説明】
【技術分野】
【０００１】
本発明は物理の技術分野に属する。より具体的には、本発明は、エネルギーの技術分野に属する。
【背景技術】
【０００２】
そのような技術分野の従来技術には、電気又はバッテリーで動作するエマグネトダイナミクスモーター、磁性の理論及び磁界中で電流を運ぶ導体に働く力の理論が含まれる。
【０００３】
磁界中で電流を運ぶ導体に力が働く。この理論は、電気エネルギーを機械エネルギーに変換する機械である電気モーターの作成に利用されている。エマグネトダイナミクスモーターは、異なる理論、すなわち、エマグネトダイナミクスの法則上で動作する。
【０００４】
従来技術には従来の電気モーターが含まれる。しかし、これらは、電気モーターと内燃エンジンの混成物よりも優れる複数面のエマグネトダイナミクスモーターが行うようには、分配器もキックスターターも使用せず、エマグネトダイナミクスの法則も利用していない。
【先行技術文献】
【特許文献】
【０００５】
【特許文献１】独国特許公開公報１０ ２００４ ０４３００７号公報
【発明の開示】
【発明が解決しようとする課題】
【０００６】
本発明は、本発明者の磁界の馬方位理論（horse orientation theory）とともに、本発明者のエマグネトダイナミクスの第１、第２法則を利用した自己支持エマグネトダイナミクスマシンと呼ばれる磁気モーターである。
【０００７】
第１法則は次のように述べる。「磁石の同じ極の配列の近くに配置された場合、吊り下げた複合磁極はある方向に回転する。」
【０００８】
第２法則は次のように述べる。「その回転方向は、その配列と同一の複合極の方向である。」
【課題を解決するための手段】
【０００９】
このマシンの重要な特徴は、自己支持マシンは、バックラッシュ固定子からのリリースを提供する帰還電流を生成する点で自己支持エマグネトダイナミクスマシンでない過去の発明とは相違し、従って、このマシンは外部エネルギー源無しで動作することができる。
【００１０】
電気モーターは、電気エネルギーを磁気エネルギーに変換し、磁気エネルギーを機械的エネルギーに変換するが、自己支持エマグネトダイナミクスモーターは、その非自己支持対応物（non-self sustaining counterpart）と同様に、磁極の相互作用を直接に、電流を運ぶ導体の媒介を通すこと無く、機械エネルギーに変換する。
【００１１】
本発明の自己支持マシンは、作動するために自身の帰還電流を使用し、電気モーターのように動作するが磁界中の電流を運ぶ導体に作用する力は使用せず、固定子と回転子の間の磁極の相互作用によって動作して磁石及び電磁石により動力を供給される自己支持マシンであって、主要部が、円形パターンに配置された前記マシンの固定子を形成する１組の永久磁石と、回転子を形成するスピンドルに取り付けられた複合磁石と、前記回転子の複合極の反発／牽引から生じるバックラッシュから前記回転子の（それぞれの面上の）翼板をリリースするためにブラシに圧力を加える分配器とを有することにより、上記課題を解決する。
【００１２】
前記固定子を形成する前記永久磁石は、前記磁石の半分がＮ極で、他の半分がＳ極であるように作製されていてもよい。
【００１３】
前記電磁石は、前記マシンのリリース固定子極を形成し、前記固定子永久磁石のそれぞれの極強さと概略等しい極強さを出すように作られており、磁化されなければ第１の前記固定子永久磁石による反発／牽引により引き戻されることになる適切なタイミングで一時的に磁化されるように時間間隔が決められていてもよい。
【００１４】
前記複合極を保持する前記翼板及びスピンドルは、すべて、前記固定子磁石により生成される磁界を歪ませないように、真鍮、銅などの非磁性材料で作られていてもよい。
【００１５】
「吊り下げられた複合磁極は、磁石の同一極の配列の近くに配置されたときには、ある方向に動く。」と述べる発明者のエマグネトダイナミクスの第１法則は、上記装置により利用されていてもよい。
【００１６】
「前記複合磁極の回転方向は、前記配列と同じ前記複合極の方向である、」と述べる発明者のエマグネトダイナミクスの第２法則は、上記装置により利用されていてもよい。
【００１７】
軟鉄は非常に早く磁性を失い、及び、得るために、前記軟鉄は前記固定子永久磁石の鏡像（代替物）として作用するとの理由から、上記複合極は、実際には、同一の三日月形状に屈曲された軟鉄のディスクにより置換することができてもよい。
【００１８】
前記ブラシ及び前記整流器は、銅又は他の非磁性であるが錆びない金属で作られていてもよい。
【００１９】
上記回転子は、前記複合極が取り付けられる前記翼板が水平面上に載置され、真鍮、銅又は他の任意の剛性の非磁性物質のいずれかで作られた前記回転子に強固に取り付けられるように構成されていてもよい。
【００２０】
上記回転子に取り付けられた前記翼板は、内燃エンジンのクランクシャフトのように、前記マシンにより出力される機械的動力を増大させるために、異なる面に載置されているが、すべてが同一の前記回転子に取り付けられた２以上の翼板が存在するように構成することが可能であってもよい。
【００２１】
上記装置の前記固定子磁石は、前記マシンにより出力される機械的動力を増大させるために、前記マシンの異なる面上に載置されるように構成することが可能であってもよい。
【００２２】
自動車のイグニッションキーと類似して、前記マシンのスタート時に、請求項１の前記第１の又は最後の電磁石に、及び、前記回転子に取り付けられた小さな直流モーターにも電気的出力がスイッチを介して伝達されてもよい。
【００２３】
上記回転子に機械的に連結された請求項１２の前記直流モーターは、「キックスタート」のプロセスで、前記エマグネトダイナミクスモーターのスタート時に前記回転子を回転させるために使用されてもよい。
【００２４】
前記マシンの異なる面に載置された請求項１１の前記固定子磁石が、作動時にそれらの磁界を相互に歪ませないように、相互から磁気的に遮蔽されていてもよい。
【００２５】
請求項１の前記固定子及び前記回転子の配置は逆転することができ、動作を生じるようにエマグネトダイナミクスの法則はなおも適用されてもよい。
【００２６】
永久磁石である上記固定子は、システムの動作を悪化させることなく電磁石に置換することが可能であってもよい。
【００２７】
本発明のシステムは、最も簡明な言葉で、電流や電流を運ぶ導体の存在なしでの磁石の動きと言い換えるエマグネトダイナミクスの理論を利用したシステムであり、これにより上記課題を解決する。自己支持エマグネトダイナミクスマシンは、永久磁石にその原子エネルギーを機械的仕事のために放出させるための人に知られた最初のマシンである。エマグネトダイナミクスの理論は、３１年継続した磁石についての発明者の研究の成果でもある。
【図面の簡単な説明】
【００２８】
【図１】複合磁極の斜視図である。これは、真鍮又は銅又は任意の非磁性の三日月型（crescent shape）に曲げられたプレート上で一緒に保持された２つの永久磁石の三日月型のＮ極及びＳ極である。これは、非磁性の旋回心軸上に置かれた（pivoted）スピンドル上に搭載される。
【図２】類似磁石のＮ極の配列を示す。（Ｓ極でもあり得る。）しかし、システムが動作するには、同一極を使用する必要がある。
【図３】図２で言及した磁極の配列を形成するために使用される磁石の磁極の配置を示す。
【図４】同一極の配列の近傍に配置された複合磁極を示す。
【図５】複合磁極であるが、今度は軟鉄のスラブ製である。これは非磁性の旋回心軸上に置かれたスピンドルに搭載されている。
【図６】各面の回転子翼板（rotor vane）の角度配置を示す。
【図７】４つの面が取り付けられた完全な自己支持エマグネトダイナミクスモーターの設計モデルを示す。
【図８】図７に示されるマシンの電気接続を示す。
【図９】ステムを備える回転子翼板を示す。
【図１０】回転子の複合極の一部を形成する永久磁石を示す。これは、ロンドンのNAAFCO SCIENTIFICから購入した60×15×５ｍｍの強力ECLIPSE MAGNETである。これは、約300ｍｍ離れた磁気系で15度の偏向を生じさせる。
【図１１】リリース電磁石４０，４２を示す。
【図１２】未磁化の鉄の棒（磁化されていない軟鉄の棒）を示す
【図１３】１つの面上の固定子及び翼板（固定子の角度配置）を示す。
【図１４】ソレノイド内の同一の棒（軟鉄）を示す。
【図１５】マシンのためのクラッチヨークを示す。
【図１６】クラッチ装置のためのクラッチフォークを示す。
【図１７】マシンのための回転子（真鍮回転子、８７０ｍｍ、全体長）を示す。
【図１８】クラッチ装置を示す。
【図１９】異なる方向に引っ張る５頭の馬を示す。
【図２０】同一の方向に引っ張る５頭の馬を示す（本発明者の磁性の馬−方向理論の説明）。
【図２１】単一性を越える効率を達成することの数学的及び実験的証明を与える電磁石固定子を有するマシン（単一性を越える証明を数学的に示すマシン）。
【発明を実施するための形態】
【００２９】
ここで、図１〜２１の本発明を詳細に参照すると、本マシンとその要素部分が示されている。特に、図７には、すべての要素が取り付けられた４つの面の、自己支持の、エマグネトダイナミクスマシンが示されている。
【００３０】
（セクション１）
（両端の）１５ｍｍの長さが螺子切りされた２本の真鍮のロッド３５，３７（直径２５ｍｍ、高さ９００ｍｍ）が水平の真鍮のプレート１０に直角に取り付けられている。この真鍮のロッドは、システムを安定化するためのアルミのスリーブを担持している。回転子２６は、下部のボールベアリング９に据え付けられている。
【００３１】
固定子２６は、その下部（長さ７０ｍｍ、直径６０ｍｍ）に、分配器２７及びスリップリング２９をも保持する部分を有している。
【００３２】
ここで、カーボンブラシ３１，３３，３５，３７，４９，４１，４３，４５，４７を保持するPerspex１５が据え付けられ、４つの銅のボルトで固定される。
【００３３】
円形のPerspexプレート４９，５１，５３，５５のそれぞれは、それぞれの面上に取り付けられた１８，１９，２０としての３つの永久磁石と電磁石２２，３２を担持している。１の面上の５つの固定子は、Perspexの中心に切られた直径４８０ｍｍの円形穴の周りに配置される。固定子は、１８０度の角度をカバーする。これは、１の固定子とその隣のものの間が４５度であることを意味する。１の固定子と隣の固定子の中心間の円の周辺に沿って測定した円周距離（circular distance）は、回転子の複合極のＮ極とＳ極の間の距離の円周長（circular length）を決定する。ここで、円形のPerspexプレート４９，５１，５３，５５は、アルミスリーブを下方にスライドさせて締めることでしっかりと保持される。それぞれの面の複合極を構成する２つの永久磁石を担持するアルミ翼板７６は、ここで、所定の位置に締め付けられ、固定子の頂部端は、銅のサポート２８の上部ボールベアリングに滑り込まされる。ここで、システムを強く強固にするために、真鍮のサポート３５，３７の螺子切りされた端部にナットが締め付けられる。ここで、直流バッテリー２１がイグニッションキー、モーター２５及び９つのブラシを介してリリース電磁石に接続される。直流モーター２５は、リリース電磁石と並列に接続され、高負荷抵抗２３により重い電流サージから保護される。
【００３４】
（セクション２）
このシステムは、動作準備ができている。イグニッションキー１２がひねられると、バッテリー２１からの電流が直流モーター２５をオンにし、回転子を時計回り方向に回転させる（この方向は、エマグネトダイナミクスの第２法則が回転子が動くと述べる方向に一致しなければならない）。モーター２５は、車輪とピニオンの配列により回転子２５を回転させることができる（回転子２６は、内燃エンジンのキックスタターのように、はめ歯歯車の歯のついた直径１４４ｍｍの車輪を担持し、モーターは、はめ歯歯車の歯のついた直径１０ｍｍの車輪を担持する）。バッテリー２１は、分配器２７及びモーター２５に同時にエネルギーを与える。分配器２７は、従来の内燃エンジンの分配器が４つのプラグに着火するのと同様に、ブラシ３３，３５，３７，３９，４１，４３，４５と電気的に接触し、これにより、リリース電磁石にエネルギーを与える。面１の第１のリリース電磁石２２は、固定子の永久磁石の極強さ（pole strength）と同一又は近似するべきであるＮ極強さを出すために計時される。これは、回転子の先頭の（leading）複合極の磁気軸が電磁石２２の磁気軸とちょうど公差する瞬間に起こらなければならない。回転子２６は更に動いて、先頭の回転子の複合極の磁気軸が最後の回転子の永久磁石１９の磁気軸に公差しようとするポイントで、分配器２７は、２番目のブラシ３５と接触し、これにより最後の電磁石３２にエネルギーを与え、これにより、Ｓ極が最後の固定子永久磁石１９のＮ極に引っ張られて引き戻される筈であった回転子の牽引する複合極を自由にする。これは、回転子の回転を悪化させ、マシンを停止させていた筈である。４面のマシンであるため、他の面の他の固定子により回転子に加えられるトルクは、固定子が休止距離をカバーすることを可能にし、これにより、それが再度、第１の固定子電磁石２２の影響下になり（この固定子電磁石２２の鉄コアは、その影響下にある複合回転子極の先頭のＮ極を引っ張る）、これが繰り返される。回転子は、このようにしてその回転を続けることができる。
【００３５】
回転子に取り付けられているが、異なる面の異なる固定子を横切る４つのすべての翼板は、それぞれ９０度に配置されていないことに留意されたい。
【００３６】
図６Ｂから我々が見出すことは、第１の翼板Ｖ１は９０度の角度だけ第２の翼板Ｖ２に先行することである。Ｖ２は１３５度の角度だけＶ３に先行し、Ｖ３は６７．５度の角度だけＶ４に先行する。４面のマシンでの回転子翼板の単純な角度配置は、各翼板が９０度だけ後続の翼板に先行するように３６０度を分割したであろう。我々は、本設計においてはこの単純な手法を採用しなかった。なぜなら、このことは、分配器が同時に２以上の電磁石にエネルギーを与えることを意味するからである。電磁石は帰還ジェネレータから多大な電流を引き出すため、帰還ジェネレータはその乏しいエネルギーに対する大きい引出に対処できず、システムが停止する場合がある。この致命的な状況を避けるため、翼板は図６に示されるように配置される。６面のマシンには翼板の配置はまた異なり、以降も同様である。設計における全体のアイデアは、２以上のリリース電磁石が同一の瞬間にエネルギーを与えられる状態を避けることである。
【００３７】
４，５又は６シリンダーのエンジンを設計する内燃エンジンの設計者が、それぞれのエンジンに対して燃焼室でのプラグの着火シーケンスを決定することになるカムシャフト上の突起の角度配置を決めなければならないのと同じように、５，６又は２０の面のマシンを作る場合の角度配置は、それぞれのケースで別々に決めなければならない。
【００３８】
我々はこのマシンを磁気モーターと呼ぶが、上記から、そして設計の観点から、このマシンは実際には、従来の電気モーターとの間の共通性よりも、内燃エンジンとのより多くの共通性を有する。
【００３９】
（セクション３）
図７を参照すると、回転子が回転するためには、翼板の円周長が、１の固定子の磁気軸と次のものの間の円周距離と概略同じであることを確実にする必要がある。
【００４０】
これは、システムが動作するために重要な条件である。すべての固定子永久磁石の極強さが等しいことも同様に重要であり、さもなければ、エマグネトダイナミクスの第１及び第２法則が満たされず、マシンは機能しない。
【００４１】
エマグネトダイナミクスマシンは本質的に磁気モーターである。従って、マシンのすべての部分を作成するのに非磁性金属が使用されることを確かにする必要があり、さもなければ、あるポイント（複数）で必要とされる重要な磁界強さが弱められ、または、減少する。すべてのボルト、ナット等は、組み上げたものを危機的に駄目にするであろう磁気的干渉や歪みを避けるために、銅または真鍮またはアルミで作られる。
【００４２】
内燃エンジンのプラグが特定のタイミングで着火されなければならないのと同じように、回転子２６のバックラッシュポイントでのリリースを確実にし、モーターが動き続けるために、リリース電磁石は適切なタイミングで「着火され」／エネルギーを与えられなければならない。この正確なタイミングを確実にするために、カーボンブラシの位置は、内燃エンジンのタイミングチェーンと同じように、調整可能にされる。ブラシは、Perspex１５に形成された円形溝上で動くベース上に取り付けられる。適切なタイミング位置が決定されたら、ブラシは真鍮のボルト及びナットによってPerspexのベースにネジ止めされる。
【００４３】
（セクション４）
本発明の図７を参照すると、回転子２６は、銅製であり、高さは８７０ｍｍであり、そのステムの様々な高さにステムに沿って形成された翼板ステムを取るための穴を有する。これらは、４つの面の高さに一致する。
【００４４】
回転子２６は直径６０ｍｍ、高さ７０ｍｍの大きなステムを有するが、本体の残りは３０ｍｍの直径を有する。スリップリング９０，９４（１０ｍｍ幅で０．５ｍｍ厚）は、良好な電気伝導体であり、かつ、錆びない材料である銅製である。これらは、スリップリング整流器とブラシの間の良好な電気接触が常に保たれることを確かにするために望ましい特性である。ブラシの接触抵抗は、０．２オームを超えてはならない。もちろん、スリップリング整流器は、従来の電気モーターの整流器において行われているように、紙絶縁を用いて回転子との電気接触から効果的に絶縁されている。
【００４５】
回転子２６に作用するトルクの主要な源である永久磁石固定子は、極めて強力である必要があり、さもなければマシンは弱くなる。事実、非自己支持エマグネトダイナミクスマシンの試作機（working model）を作るために発明者が使用した永久磁石固定子は、１メートル離れた磁気計に２５度の角度偏向を生じさせる磁極強さをそれぞれ有していた。これらの磁石はAlcomax磁石であったが、勿論、これらの磁石は２５年ほど前に買ったものなので、ネオジウム磁石の形態のより強力な磁石が発明されている。
【００４６】
１つの面のみを有するエマグネトダイナミクスマシンは、伝統的な４シリンダー、４ストロークのエンジンに対する１つのみのシリンダを有する内燃エンジン、又は、１つのみのコイルで動作する在来型の電気モーターのようなものである。実際のエマグネトダイナミクスモーターは、回転子２６に十分なトルクを発生させて強力なマシンとするためには、多くの面、少なくとも４つの面を有さなければならない。面の数が増えるほど、結果としてのマシンはより強力となり、１つの面で生成された磁場が隣接する面での磁束（fluxes）に影響を与えないように遮蔽するために磁気遮蔽が非常に重要になるけれども、１０〜２０もの多くの面のマシンを作ることが望ましい。
【００４７】
本発明の図２１を参照すると、Ｓ１，Ｓ２，Ｓ３，Ｓ４は１つの面のマシンの電磁石固定子である。Ｓ１，Ｓ２，Ｓ３はすべて並列に接続され一緒にエネルギーを与えられるが、リリース電磁石であるＳ４は別の回路で別個にエネルギーを与えられる。このシステムを回転させるには、３つの固定子に１２０Ｖ程度が供給され、リリース固定子Ｓ４には７２Ｖが供給される必要があることが分かる。電流計Ａ１で測定した第１の回路に流れる電流は４５Ａであり、Ａ２の読みは６Ａである。
【００４８】
３００ｒｐｍで回転するこのマシンで生成されるパワーを計算すると次のようになる。
１．２４０Ｖ電源がモーターへのメインパワー入力である。
Ｓ２のｍｍｆ軸でのモーター位置からＳ４のｍｍｆ軸までＫ２が閉じられている場合、モーターへの制御又は補助入力は、比較的ごくわずかのパワーを供給する。
１．モーターのパワー出力は、ラジアン／秒での回転子速度と回転子トルクの積である。
Ｐｏｕｔ＝Ｔ×ω＝Ｔ×（３００×２π）／６０＝１０πＴワット
１．損失なしのマシンを仮定すると、入力パワー＝出力パワー、
Ｓ１，Ｓ２，Ｓ３からのパワー＝４５×２４０Ｗ＝１０８００Ｗ
1回転のうちのθラジアン（Ｓ２軸からＳ４軸）、或いは、１２０度だけＫ２がオンと仮定すると、
Ｓ４からのパワー＝７２×θ／２πｘ６Ｗ≒６８．７５０θＷ＝１４４．４Ｗ
（ａ）Ｓ１，Ｓ２，Ｓ３に帰するパワーのパーセンテージ＝１０８００×１００／（１０８００＋６８．７５θ）＝９８．７％
（ｂ）Ｓ４に帰するパワーのパーセンテージ＝６８．７５θ×１００／（１０８００＋６８．７５θ）＝１．３％
【００４９】
この結果から、小さい帰還ジェネレータが回転子スピンドルにリンクされているなら、それはリリース電磁石を動作させるために必要なこの１．３％のパワーを供給し、電磁石Ｓ１，Ｓ２，Ｓ３を永久磁石に置換すると、我々は単一性を優に超える効率のマシンを手にすることは明らかである。
【００５０】
（セクション５）
別バージョンの自己支持エマグネトダイナミクスは、帰還ジェネレータの回路に電流ブースターを追加することで作ることができる。帰還ジェネレータの出力は、図２１に示されるようなパルス回路に供給される。パルス回路は、単純に、電気エネルギーがキャパシタに蓄えられ、極めて高速で放電される回路である。大電流が非常に短い時間流れる。バックラッシュポイントで必要とされる回転子のリリースは、わずか数ミリ秒だけ続く１点での動作となり、これにより生成された電流は、バックラッシュポイントで回転子を解放するのに十分である。
【００５１】
エネルギーの欺瞞性（Deceit）：自己支持エマグネトダイナミクスマシンは、エネルギーの欺瞞性の原理を利用しているとも論じることができる。これは以下のように説明される。
【００５２】
従来の電気モーターでは、モーターが機能するには任意の及びすべての瞬間に電流がフルにコイルを流れることが必要である。これは、大量のエネルギーが常に電気モーターに供給されなければならないことを意味する。エマグネトダイナミクスマシンではそうではない。我々は、大量のエネルギーをすべての瞬間には必要としない。我々は、回転子翼板をバックラッシュの減速効果からリリースすることを確実にするために必要なポイントでのみ大量のエネルギーを必要とする。例えば、６００ｒｐｍの速度で回転するマシンでは、我々はどの程度の時間大量のエネルギーを必要とするだろうか？
【００５３】
６００ｒｍｐで回転するマシンは１０ｒｐｓで回転する。スリップリング整流器の直径は６０ｍｍであり、分配器の幅は２０ｍｍである。従って、この分配機はカーボンブラシと０．０１秒だけ接触する。これは、１００分の１秒であり、もちろん短い。これがパルス継続時間である。なお、１回転が続く残りの時間は、永久磁石固定子は運動に必要なトルクを供給する。永久磁石に蓄えられたエネルギーは機械エネルギーに変換される。
【００５４】
テレビもまた目の欺瞞性の概念を用いている。網膜を打つ物体からの小さい点が数秒間留まっている。仮にこのことが十分早く起これば、異なる点が連続的に現れ、目は全体の絵を１つとして「見る」。
【００５５】
エマグネトダイナミクスマシンは、永久磁石固定子によりカバーされるエネルギーギャップのおかげでバックラッシュポイントに現れるエネルギーのパルスを１つの連続したチェーンとして見る、と言うことができる。
【００５６】
（セクション６）
従来の電気モーターに対する自己支持エマグネトダイナミクスモーターの利点は明らかである。これは、このモーターが現在電気モーターが使用されているどの電気モーターでも置換することができることを意味する。これは、これには限られないが、電気自動車、電車、トローリー電車、電気式ファン等を含む。小型のエマグネトダイナミクスモーターを作ることができれば、時計や研磨機やおもちゃなどの電気モーターを置換することもできる。テレビセットやラジオに電流供給するために小さいエマグネトダイナミクスマシンを導入し、動作に電気や電池を必要としないこれらの重要な機器を得ることも可能である。もちろん、エマグネトダイナミクスマシンは我々の生活スタイルを革命的に変化させる能力を有している。人類のためのエネルギーの節約は莫大となるであろう。エネルギーが世界の平和を乱す能力は別にして、エネルギーが枯渇し、大変高価な世界において、動作するために外部エネルギーの入力を必要としないマシンは大きな関心の対象であり、工業的価値がある。
【００５７】
達成するために３１年を要したエマグネトダイナミクスモーターの成功した設計及びエマグネトダイナミクスの理論は、科学と工学に新たな学習の分野を開いた。これは、世界中の科学者及び工学者によってより深く探索されることを要する分野である。もちろん、発明者は、この分野は極めて興味深く刺激的な分野であると考えている。
【００５８】
この領域での更なる研究作業には、これには限られないが、エマグネトダイナミクスマシンの詳細な特性及びそれらがどのように従来の電気モーター及び内燃エンジンの特性と比較されるかを見出すことが含まれるであろう。
【００５９】
（セクション７）
広い実施例において、この発明は、磁界中の電流を運ぶ導体に作用する力とは異なるエマグネトダイナミクスの法則を用いた永久磁石、又は電磁石の相互作用の原理に基づいて動作するモーターでもある。
【００６０】
エマグネトダイナミクスの理論は、３１年継続した磁石についての発明者の研究の産物である。
【００６１】
マシンの他のバージョンは翼板を有さない。軟鉄の板（slab）が角度的な分散として回転子上に貼り付けられる。回転子自体は、この設計変更に対応するために直径がより大きく作られる。このバージョンは、従来の電気モーターに極めて類似して、ただ２つだけのスプリットリング整流器を有する。面は、３０又はそれを超えることもでき、このことは、より頑丈で単純な２０００ｒｐｍを超えて動作する強力なマシンに結びつく。
【符号の説明】
【００６２】
９，１１  底部及び頂部それぞれのボールベアリング
１０  マシンのベースを形成する円形の真鍮プレート（直径５００ｍｍ，厚み１０ｍｍ）
１２  マシンのスイッチを入れるイグニッションキー（典型的な自動車、例えば、フォルクスワーゲン車、イグニッションキーが適切である）
１４  キックスターターとしても機能する帰還ジェネレータのグループ
１５  カーボンブラシを保持する矩形のPerspexプレート（１８０×１８０×５ｍｍ）
１６  スリップリング整流器（coｍｍutator）
１８，１９，２０  面１の永久磁石固定子
２１  モーターバッテリー １２ボルトＤＣ
２２，３２  面１のためのリリース電磁石
２３  帰還ジェネレータ／キックスタートモーターの保護に適する抵抗
２４，３６  面４のためのリリース電磁石
２５  キックスターターモーター／帰還ジェネレータ １２ボルト 電流リッチ
２６  回転子シャフト（小回転子ステム）、真鍮、直径３０ｍｍ
２７  分配器、銅
２８  銅シャックル（shackle）の矩形プレート
２９  スリップリング銅整流器
３０  クラッチペダル
３１  カーボンブラシ
３３，３５，３７，３９，４１，４３，４５，４７  リリース電磁石にエネルギーを与えるカーボンブラシ
３８，４０  複合極を形成する矩形の永久磁石
４２  複合極を保持するためのアルミ翼板
５０  真鍮製の翼板ステム、長さ、直径１０ｍｍ
５２  翼板スタビライザー、長さ２５ｍｍ、直径５ｍｍ
５４  合計抵抗１４オームの直径０．５ｍｍの絶縁銅線を巻かれたリリース電磁石のためのアルミフォーマー、長さ１５０ｍｍ、内径３７．2ｍｍ、外形３９ｍｍ
５６  電磁石のための軟鉄コア、長さ１６０ｍｍ、直径３７ｍｍ
６６，７８  リリース電磁石
６８，７０，７２  永久磁石固定子
７６  アルミ翼板
８２    の内部穴、直径
８４  円形アーム、直径、及び広さ
８６  クラッチシャンク、外径
８８    の外側チューブ、外径、  ｍｍ長
９０  分配器を担持するスリップリング整流器
９２  休止銅分離器（idle copper separator）
９６  帰還ジェネレータ
９７  （皮材料でできた）フライホイールに取り付けられたクラッチファイバー
９８  ジェネレータ上のギアで連結されたプーリー
９９  クラッチケーブル
１００  回転子シャフトに取り付けられたギアで連結されたフライホイール
【図１】
2018011509.tif 000003
【図２】
2018011509.tif 000004
【図３】
2018011509.tif 000005
【図４】
2018011509.tif 000006
【図５】
2018011509.tif 000007
【図６】
2018011509.tif 000008
【図７】
2018011509.tif 000009
【図８】
2018011509.tif 000010
【図９】
2018011509.tif 000011
【図１０】
2018011509.tif 000012
【図１１】
2018011509.tif 000013
【図１２】
2018011509.tif 000014
【図１３】
2018011509.tif 000015
【図１４】
2018011509.tif 000016
【図１５】
2018011509.tif 000017
【図１６】
2018011509.tif 000018
【図１７】
2018011509.tif 000019
【図１８】
2018011509.tif 000020
【図１９】
2018011509.tif 000021
【図２０】
2018011509.tif 000022
【図２１】
2018011509.tif 000023